(57)【特許請求の範囲】
【請求項１】
広口の吸引口と、該吸引口に装着させたエダクターポンプと、界面活性剤の混入した高圧水を噴射する高圧水噴射装置と、界面活性剤の存在下で油塊を機械的に攪拌する攪拌装置と、移動用の水噴射推進装置とを備えて成る油回収装置。
【請求項２】
吸引口を、円筒部と、該円筒部に装着させた漏斗形部とから形成させてなる請求項１記載の油回収装置。
【発明の詳細な説明】
【０００１】
【発明の属する技術分野】
本発明は、衝突や座礁などの事故によって海上に流出した流出油、或いは、波浪に揉まれるうちにエマルジョン化した超高粘度油などを回収するための油回収装置に関する。
【０００２】
【従来の技術】
衝突や座礁などの事故によって海上に流出した流出油は、流出当初、低粘度であっても、波浪に揉まれるうちに水を取り込んでエマルジョン化すると、粘度が急激に上昇し、強固な油の塊を形成する。更に、ゴミなどの浮遊物を巻き込むと、回転式のポンプで吸引することは不可能になる。
【０００３】
また、高粘度油は、流動性が乏しいため、油回収装置が移動できないと、流出油の方から集まってくることがなく、流出油を回収する上で問題であった。
【０００４】
【発明が解決しようとする課題】
本発明は、係る従来の問題を解消するためになされたものであり、エマルジョン化した超高粘度油や、ゴミなどを巻き込んだ流出油にも対応できるのみならず、自己移動能力を備えた油回収装置を提供することを目的とするものである。
【０００５】
【課題を解決するための手段】
請求項１に記載の発明に係る油回収装置は、広口の吸引口と、該吸引口に装着させたエダクターポンプと、界面活性剤の混入した高圧水を噴射する高圧水噴射装置と、界面活性剤の存在下で油塊を機械的に攪拌する攪拌装置と、移動用の水噴射推進装置とを備えている。
【０００６】
請求項１に記載の発明によれば、エマルジョン化した高粘度油であっても適当な大きさに破砕し、ゴミと一緒に回収できる。また、移動しながら流出油を回収することができる。
請求項２に記載の発明に係る油回収装置は、吸引口を、円筒部と、該円筒部に装着させた漏斗形部とから形成させている。
【０００７】
請求項２に記載の発明によれば、波浪中で操業しても空気を吸い込むことがない。仮に、空気を吸い込んでもポンプが破損することなく、運転可能である。
【０００８】
【発明の実施の形態】
以下、図面により本発明の実施の形態を説明する。
図１に示すように、油回収装置１は、Ｖ字形のフレーム１１（平面視）の先端部にそれぞれ浮体１０を備え、図２の如く、通常、吸引口１２が水面Ｗより下方に位置し、高圧水噴射ノズル１４や油圧モータ１５が水面Ｗより上方に位置するようになっている。
【０００９】
図２に示すように、吸引口１２は、円筒部２３と、円筒部２３に装着されている漏斗形部２４とから形成されており、漏斗形部２４の咽部３２を介してエダクターポンプ１３に取り付けられている。
図３に示すように、エダクターポンプ１３は、管部３０と、管部３０の先端に取り付けた高圧駆動水ノズル３１とから形成されている。高圧駆動水ノズル３１は、管部３０の軸芯（図示せず）と同心状に設けられている。
【００１０】
吸引口１２の咽部３２の径は、エダクターポンプ１３の管部３０の径と同径になっている。
図１に示すように、フレーム１１に攪拌機１６が取り付けられている。攪拌機１６は、吸引口１２と同心状に設けられている。攪拌機１６は、十字形の腕２５と、腕２５の先端にそれぞれ取り付けた攪拌棒２６とから形成され、フレーム１１上に取り付けた油圧モータ１５によって時計方向、或いは、反時計方向に回転されるようになっている。攪拌棒２６は、腕２５の下面に垂直に取り付けられ、その先端は、吸引口１２の円筒部２３の下辺に達している。
【００１１】
図１に示すように、吸引口１２と同心状に多数の高圧水噴射ノズル１４が設けられている。これらの高圧水噴射ノズル１４は、攪拌機１６より大径の円環状の配管２７の下面に一定の間隔で設けられている。
更に、フレーム１１に左右一対の前進用ノズル１７及び左右一対の横移動用ノズル２８ａ及び２８ｂが取り付けられている。
【００１２】
そして、エダクターポンプ１３の管部３０に送油ホース１８が接続され、エダクターポンプ用の高圧駆動水ノズル３１に高圧駆動水ホース１９が接続され、高圧水噴射ノズル１４のある環状の管２７に高圧水ホース２０が接続され、油圧モータ１５に油圧ホース２２が接続され、前進用ノズル１７に高圧水ホース２１が接続され、横移動用ノズル２８ａ及び２８ｂにそれぞれ高圧水ホース（図示せず）が接続されている。
【００１３】
しかして、高圧水ホース２０から界面活性剤の混入した高圧水を供給すると、多数の高圧水噴射ノズル１４からエマルジョン化した油ａに向けて界面活性剤の混入した高圧水が噴射される。
同時に、油圧ホース２１から油圧モータ１５に作動油を供給すると、攪拌機１６が回転し、高圧水噴射ノズル１４から噴射される界面活性剤入りの高圧水と協力しながら、エマルジョン化した油ａやゴミｂを吸引し易い大きさに破砕する。
【００１４】
しかる後に、高圧駆動水ホース１９からエダクターポンプ１３の高圧駆動水ノズル３１に高圧水を供給すると、吸引口１２の咽部３２に負圧が生じ、高圧水噴射ノズル１４や攪拌機１６によって破砕されたエマルジョン化した油ａやゴミｂが吸引口１２内に吸引される。これらの固形物（エマルジョン化した油ａやゴミｂ）は、送油ホース１８を通って所定の場所に移送される。
【００１５】
特に、吸引口１２の咽部３２の径は、エダクターポンプ１３の管部３０の径と同径に形成されているため、吸引した固形物（流出油ａやゴミｂ）も詰まることなく移送される。また、吸引口１２は、漏斗形部２４の上に円筒部２３があるため、波浪中の作業による動揺で一時的に空中に出ることがあっても、直ちに、空気を吸い込むことがない。
【００１６】
一方、高圧水ホース２１から供給した高圧水は、前進用ノズル１７から噴出し、油回収装置１が矢印Ａ方向に前進する。また、図示しない一方の高圧水ホースから高圧水を供給すると、横移動用ノズル２８ａから高圧水が噴出し、油回収装置１が矢印Ｂ方向に横移動する。また、図示しない他方の高圧水ホースから高圧水を供給すると、横移動用ノズル２８ｂから高圧水が噴出し、油回収装置１が矢印Ｃ方向に横移動する。
【００１７】
【発明の効果】
上記のように、請求項１に記載の発明は、広口の吸引口と、該吸引口に装着させたエダクターポンプと、界面活性剤の混入した高圧水を噴射する高圧水噴射装置と、界面活性剤の存在下で油塊を機械的に攪拌する攪拌装置と、移動用の水噴射推進装置とを備えているため、エマルジョン化した高粘度油であっても適当な大きさに破砕し、ゴミと一緒に回収できる。また、移動しながら流出油を回収することができる。
【００１８】
また、請求項２に記載の発明は、吸引口を、円筒部と、該円筒部に装着させた漏斗形部とから形成させているため、波浪中で操業しても空気を吸い込むことがない。仮に、空気を吸い込んでもポンプが破損することなく運転可能である。
【図面の簡単な説明】
【図１】本発明に係る油回収装置の平面図である。
【図２】本発明に係る油回収装置の側面図である
【図３】本発明に係る油回収装置の要部拡大断面図である。
【符号の説明】
１２  吸引口                      １４  高圧水噴射装置
１６  攪拌装置
１７，２８ａ，２８ｂ  移動用の水噴射推進装置
３０  エダクターポンプ
【図１】
0003944303.tif 000002
【図２】
0003944303.tif 000003
【図３】
0003944303.tif 000004